(57)【特許請求の範囲】
【請求項１】
保持する複数原稿の一枚ずつを原稿台へ搬送する自動原稿搬送装置において、
複数の原稿を保持する給紙トレイと、
前記給紙トレイ上に設けられ、前記原稿の大きさに合わせて前記原稿の進行方向に垂直に移動することで原稿の右側面を保持する第１サイドガイドと、
前記給紙トレイ上に設けられ、前記原稿の大きさに合わせて前記原稿の進行方向に垂直に移動することで原稿の左側面を保持する第２サイドガイドと、
前記第１サイドガイド上に設けられた第１の回転ローラ対であり、前記第１サイドガイトと一体に前記原稿の進行方向に垂直に移動可能であり、前記第１の回転ローラ対により前記原稿の右側部を上下から挟み込むことで原稿を擦らせて複数の原稿から一枚を分離して搬送する第１分離搬送手段と、
前記第２サイドガイド上に設けられた第２の回転ローラ対であり、前記第２サイドガイトと一体に前記原稿の進行方向に垂直に移動可能であり、前記第２の回転ローラ対により前記原稿の左側部を上下から挟み込むことで原稿を擦らせて複数の原稿から一枚を分離して搬送する第２分離搬送手段と、
を有することを特徴とする自動原稿搬送装置。
【請求項２】
前記第１分離搬送手段の第１の回転ローラ対の一方の回転ローラは、前記第１サイドガイドに接続してローラバネにより設けられることで、他方の回転ローラと共に前記原稿の右側部を上下から挟み込み、
前記第２分離搬送手段の第２の回転ローラ対の一方の回転ローラは、前記第２サイドガイドに接続してローラバネにより設けられることで、他方の回転ローラと共に前記原稿の左側部を上下から挟み込むことを特徴とする請求項１記載の自動原稿搬送装置。
【請求項３】
保持する複数原稿の一枚ずつを原稿台へ搬送する自動原稿搬送装置において、
複数の原稿を保持する給紙トレイと、
前記給紙トレイ上に設けられ、前記原稿の大きさに合わせて前記原稿の進行方向に垂直に移動することで原稿の右側面を保持する第１サイドガイドと、
前記給紙トレイ上に設けられ、前記原稿の大きさに合わせて前記原稿の進行方向に垂直に移動することで原稿の左側面を保持する第２サイドガイドと、
前記第１サイドガイドの延長上に設けられ、前記第１サイドガイトと一体に前記原稿の進行方向に垂直に移動可能であり、原稿の右側部にて原稿を擦らせ複数の原稿から一枚を分離させる第１前サバキ板と、
前記第２サイドガイドの延長上に設けられ、前記第２サイドガイトと一体に前記原稿の進行方向に垂直に移動可能であり、原稿の左側部にて原稿を擦らせ複数の原稿から一枚を分離させる第２前サバキ板と、
原稿の進行方向において前記第１サバキ板の下流に位置しており、前記第１サイドガイド上に設けられた第１の回転ローラ対であり、前記第１サイドガイトと一体に前記原稿の進行方向に垂直に移動可能であり、前記第１の回転ローラ対により前記原稿の右側部を上下から挟み込むことで原稿を擦らせて複数の原稿から一枚を分離して搬送する第１分離搬送手段と、
原稿の進行方向において前記第２サバキ板の下流に位置しており、前記第２サイドガイド上に設けられた第２の回転ローラ対であり、前記第２サイドガイトと一体に前記原稿の進行方向に垂直に移動可能であり、前記第２の回転ローラ対により前記原稿の左側部を上下から挟み込むことで原稿を擦らせて複数の原稿から一枚を分離して搬送する第２分離搬送手段と、を有することを特徴とする自動原稿搬送装置。
【発明の詳細な説明】
【０００１】
【発明の属する技術分野】
この発明は、自動原稿搬送装置の複数原稿の分離機構に関するものである。
【０００２】
【従来の技術】
最近のデジタル複写機等においては、自動的に原稿台へと搬送する自動原稿搬送装置が用いられており、これにより複数の原稿も連続して自動的に搬送されることにより容易に連続複写を可能としている。このような自動原稿搬送装置においては、複数の原稿を一枚ずつの原稿に分離させるための分離機構は、摩擦分離方式が用いられるが、この摩擦分離方式の原稿分離方式においては、原稿の全サイズに対応した位置に固定した分離機構で原稿の分離を行う構造となっている。
【０００３】
【発明が解決しようとする課題】
しかしながら、このような構造の分離機構で原稿の分離を行うと、給紙される原稿と次の原稿とが擦れ、原稿裏面に次原稿の画像による汚れが付着してしまう。従来技術においては、上記のような用紙の全サイズを考慮した固定式の分離機構であるため前サバキ板が原稿の全面を横切って設けられているので、原稿の画像部を擦る構造になっている。このため、従来の自動原稿搬送装置においては、原稿の裏面が次原稿の印刷部分により汚されてしまうという問題がある。
【０００４】
本発明は、原稿の分離機構を二分することで、原稿の裏面が次原稿の印刷部分との擦れにより汚れることを防止する自動原稿搬送装置を提供することを目的とする。
【０００５】
【課題を解決するための手段】
課題を解決するための一実施形態は、
保持する複数原稿の一枚ずつを原稿台へ搬送する自動原稿搬送装置において、
複数の原稿を保持する給紙トレイと、
前記給紙トレイ上に設けられ、前記原稿の大きさに合わせて前記原稿の進行方向に垂直に移動することで原稿の右側面を保持する第１サイドガイドと、
前記給紙トレイ上に設けられ、前記原稿の大きさに合わせて前記原稿の進行方向に垂直に移動することで原稿の左側面を保持する第２サイドガイドと、
前記第１サイドガイド上に設けられた第１の回転ローラ対であり、前記第１サイドガイトと一体に前記原稿の進行方向に垂直に移動可能であり、前記第１の回転ローラ対により前記原稿の右側部を上下から挟み込むことで原稿を擦らせて複数の原稿から一枚を分離して搬送する第１分離搬送手段と、
前記第２サイドガイド上に設けられた第２の回転ローラ対であり、前記第２サイドガイトと一体に前記原稿の進行方向に垂直に移動可能であり、前記第２の回転ローラ対により前記原稿の左側部を上下から挟み込むことで原稿を擦らせて複数の原稿から一枚を分離して搬送する第２分離搬送手段と、
を有することを特徴とする自動原稿搬送装置である。
【００１０】
【発明の実施の形態】
以下、この発明の一実施の形態について図面を参照して説明する。
【００１１】
図１は、本発明に係る自動原稿搬送装置の断面図、図２は、本発明に係る自動原稿搬送装置の上面図及び断面図、図３は、原稿と前サバキ板と分離ローラとの関係を説明する説明図である。
【００１２】
本発明の自動原稿搬送装置は、図１及び図２に示すように、原稿１を格納する給紙トレイ３とこの上に移動可能に設けられた左右のサイドガイド２と、複数原稿から１枚の原稿を分離させる前サバキ板５と、サイドガイドに接続して設けられるアーム６と、アーム上にローラバネ８を伴って設けられる分離ローラ７と、分離ローラ７に対して設けられ回転により原稿を引き出し搬送させるピックアップローラとを有している。つまり本発明の自動原稿搬送装置は、図に示すように、分離機能を自動原稿搬送装置のフロント／リア方向に２分割して、更に上流には、分離機構同様に２分割された前サバキ板をもっている。また、本分離機構は、原稿積載トレイサイズを指示するサイドガイドと連動するべく構成されている。
【００１３】
これにより、従来構造の固定分離機構とは異なり、サイズ毎に分離機構の位置を変化することができる。
【００１４】
また、位相的にサイドガイドの延長上に前サバキ板５を設けることで、原稿の印刷部分が存在する可能性が比較的少ない原稿の左右端部において、原稿を摩擦することで原稿の分離が可能になる。
【００１５】
次に、この自動原稿搬送装置の各部の特徴を解説し原稿を搬送する動作について以下に説明する。
【００１６】
給紙トレイ３は原稿１を格納するものであり、その上にサイドガイドが設けられている。このサイドガイド２は、原稿の搬送方向とは垂直方向に移動可能であり、原稿のサイズに応じてセットする。又更に本発明においては、分離ローラ７は、アーム６にてサイド２と一体に動作するべく構成されている。従来構造であると、サイドガイド２は、セットされた原稿の給紙方向の両端になるべく構成されている。
【００１７】
このような構成において、給紙された原稿１は、第一段階の分離として前サバキ板５にて分離される。ここで注目すべきは、前サバキ板はサイドガイド２と一体化して設けられているため、分離のために摺り合わされる原稿は、印刷領域の比較的少ない原稿の側部ということになる。従って、次原稿の印刷部分が原稿の裏面を汚すという不具合を回避することが可能となる。次に第１段階の前サバキ板５においても分離されなかった原稿は、分離ローラ７へと突入され分離される。従って、原稿１はこの分離ローラ７にて確実に分離される。分離ローラ７の位置についても、原稿の左右の両端部となり、原稿の印刷領域に力が加わることが少ないので、印刷領域で原稿の裏面が汚されるということがなくなる。
【００１８】
以上本発明の実施形態について詳細に述べたが、本発明は上述した実施形態に限定されるものではなく作用効果を生じる範囲において様々の形態でその実施が可能であることは言うまでもない。
【００１９】
【発明の効果】
以上詳述したようにこの発明によれば、原稿が用紙の全面ではなく中央に印刷領域があるものの割合が一般に多いことに注目し、分離機構を原稿の両側端に二分して設けることにより、分離動作を原稿の印刷部分が少ない左右側部の余白にて行なうこととした。これにより原稿中央の印刷部分にて摩擦力が加わることがなくなるため、原稿の裏面と次原稿の印刷部分とが摩擦することによる、原稿裏面の汚れを防止することが可能となる。
【００２０】
又更に、分離部を２分することで、分離の荷圧の軽減が可能となり、これにより装置全体の寿命も延び、又、原稿に対する負担も軽減することができる。
【図面の簡単な説明】
【図１】本発明に係る自動原稿搬送装置の断面図。
【図２】本発明に係る自動原稿搬送装置の上面図及び断面図。
【図３】原稿と前サバキ板と分離ローラとの関係を説明する説明図。
【符号の説明】
１…原稿
２…サイドガイド
３…給紙トレイ
４…ピックアップローラ
５…前サバキ板
６…アーム
７…分離ローラ
８…ローラバネ
【図１】
0004224178.tif 000002
【図２】
0004224178.tif 000003
【図３】
0004224178.tif 000004